(57)【要約】  【課題】本発明は、唐箕の選別風を揺動選別装置へ供給する選別風路の出口側を入口側よりも風路幅を広くして選別風を拡散し、揺動選別棚に当てる選別風を広く拡散して選別効果を高めることを目的とする。  【解決手段】唐箕（３０）の選別風を揺動選別装置（２３）へ供給する選別風路（３３）を備えた脱穀装置において、該選別風路の前記唐箕に近い入口側幅（Ｄ１）よりも前記唐箕から遠い出口側幅（Ｄ２）を広く構成する。【選択図】図４
2017079641.tif 000002
【特許請求の範囲】
【請求項１】
唐箕（３０）の選別風を揺動選別装置（２３）へ供給する選別風路（３３）を備えた脱穀装置において、該選別風路の前記唐箕に近い入口側幅（Ｄ１）よりも前記唐箕から遠い出口側幅（Ｄ２）を広く構成してあることを特徴とする脱穀装置。
【請求項２】
前記選別風路（３３）は、入口側を唐箕回転の接線方向（Ｙ１、Ｙ２）に揃えてあることを特徴とする請求項１記載の脱穀装置。
【発明の詳細な説明】
【技術分野】
【０００１】
この発明は、コンバイン等に搭載する脱穀装置に関する。
【背景技術】
【０００２】
従来、唐箕に通じる選別風路は、上段の選別風路と下段の選別風路からなり、少なくとも上段の選別風路は略平行に構成され、下段の選別風路は、唐箕から遠い出口側に下向き案内片を有するため、実質的には略平行、若しく出口側が狭くなる風路に構成されたものである（特許文献１参照）。
【先行技術文献】
【特許文献】
【０００３】
【特許文献１】特開２００４−２２９５９６号公報
【発明の概要】
【発明が解決しようとする課題】
【０００４】
しかしながら、上記公知例によると、選別風の拡散効果は薄く、揺動選別棚に広く拡散して選別効果を高める機能は期待できない。
【０００５】
本発明は、唐箕に通ずる選別風路の出口側を入口側よりも風路幅を広くして選別風を拡散し、揺動選別棚に当てる選別風を広く拡散して選別効果を高めることを目的とする。
【課題を解決するための手段】
【０００６】
この発明は、上記課題を解決すべく次のような技術的手段を講じた。
【０００７】
すなわち、請求項１記載の発明は、唐箕（３０）の選別風を揺動選別装置（２３）へ供給する選別風路（３３）を備えた脱穀装置において、該選別風路の前記唐箕に近い入口側幅（Ｄ１）よりも前記唐箕から遠い出口側幅（Ｄ２）を広く構成してあることを特徴とする脱穀装置とする。
【０００８】
唐箕（３０）から選別風路（３３）に吹き出される選別風は、上方の揺動選別装置（２３）に向かって吹き流されて風選される。この時、選別風路の入口側より出口側が幅広く構成されているので、選別風が揺動選別棚（２３）の前後の範囲にわたって広く拡散され、風選効果が高められる。
【０００９】
請求項２記載の発明は、前記選別風路（３３）は、入口側を唐箕回転の接線方向（Ｙ１、Ｙ２）に揃えてあることを特徴とする請求項１記載の脱穀装置とする。
【００１０】
上記構成によると、選別風路（３３）の入口側を唐箕回転の接線方向（Ｙ１、Ｙ２）に揃えてあるため、唐箕（３０）の選別風をロスなく効率よく風路に案内することができる。
【発明の効果】
【００１１】
請求項１記載の発明によれば、選別風路（３３）の出口側が入口側より幅広く構成されているため、選別風が揺動選別装置（２３）の前後の範囲にわたって広く拡散され、風選効果を高めることができる。
【００１２】
請求項２記載の発明によれば、請求項１記載の発明による効果に加えて、選別風路（３３）の入口側を唐箕回転の接線方向（Ｙ１、Ｙ２）に揃えてあるため、唐箕ファンの選別風をロスなく効率よく選別風路（３３）に案内することができる。
【図面の簡単な説明】
【００１３】
【図１】汎用コンバインの側面図
【図２】汎用コンバインの正面図
【図３】同上要部の側断面図
【図４】選別部の側断面図
【図５】同上側断面図
【発明を実施するための形態】
【００１４】
この発明の実施例を図面に基づき説明する。
【００１５】
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式刈刃装置５と刈取後の茎稈をテーブル６上に掻き込む掻込オーガ７と、掻込オーガの左側から受け継いだ茎稈を揚上搬送して脱穀部１１内に供給するフィーダハウス８内の搬送エレベータ９等からなる刈取前処理部１０を備えている。
【００１６】
フィーダハウス８の右側には、運転席１２、運転席前側のフロント操作ボックス１３、運転席横側のサイド操作ボックス１４等からなる運転操作部が装備され、運転操作部の後方には収穫物を一時的に貯留するグレンタンク１５が設置されている。脱穀部１１で脱穀、選別された穀粒をグレンタンク１５に貯留し、満タンに貯留された穀粒は、揚穀筒及び横送り筒からなる排出オーガ１５ａによって外部へ排出するようになっている。
【００１７】
脱穀部１１は、上側に扱胴１６を内装する扱室１７が構成され、下側に後記する選別室１８が構成されている。
【００１８】
扱胴１６は、外周面に扱歯１９が植設され、前部には取込螺旋部２０が設けられている。扱室１７の下半周部には受け網２１が設けられている。
【００１９】
扱室下方の選別室１８内の揺動選別装置（揺動選別棚）２３は、脱穀処理後の処理物を受け入れて揺動移送しながらふるい選別する構成であり、選別方向上手側から移送棚２４、チャフシ−ブ２５、ストロ−ラック２６の順に配置し、且つ、前記チャフシ−ブ２５の下方に１番選別棚（グレンシ−ブ）２７、１番戻し棚２８、２番戻し棚２９を配置して設けた構成としている。
【００２０】
また、揺動選別棚２３の下方には選別方向の上手側から順に、唐箕３０と、１番螺旋を備えた１番回収受樋３１、２番螺旋を備えた２番回収受樋３２を設けた構成としている。
【００２１】
唐箕３０に通じる選別風路３３は、図例では、中割体３４を介して、上段の選別風路３３ａと下段の選別風路３３ｂとからなり、そして、唐箕３０に近い入口側幅Ｄ１よりも唐箕から遠い出口側幅Ｄ２が広く（Ｄ１＜Ｄ２）なるように構成している（４参照）。上段の選別風路３３ａは、主としてグレンシーブ２７の前半部及びチャフシーブ２５の中間あたりに向け前後広範囲にわたって選別風を吹き付けるようになっており、下段の選別風路３３ｂは、グレンシーブ２７後部及びチャフシーブ２５の後部、更にストローラック２６の全範囲にわたって広く選別風を吹き付けるようになっている。
【００２２】
また、該選別風路３３は、入口側を唐箕３０のファン３０ａ回転の接線方向Ｙ１，Ｙ２に揃えた状態となるよう構成している(図５参照)。
【００２３】
移送棚２４の先端にフルイ線３５が設けられ、また、移送棚先端部からチャフシーブ２５の１枚目のシーブ板２５ａの上部近傍にかけて塞ぎ板３６を設置することで、チャフシーブに到達する前に選別物が落下するのを防止し、垂直風路３７からチャフシーブ２５上面に抜ける風を後方へ案内することができる。
【００２４】
図面は省略しているが、排出オーガを備えたコンバインでは、オーガ受けを水平より先端が下がる位置にセット可能とするも（輸送位置）、オーガ受けの支柱挿入部にスイッチを設け、輸送位置にオーガ受けがセットされていると、刈取前処理部の掻込リールが上げ操作できないように電気的に制御する。
【００２５】
要するに、オーガ受けを水平より先端が下がる位置にセット可能とすることで、排出オーガを分解せずにコンテナに車載することが可能となり、また、トラック輸送時にも路肩の木等への引っ掛けを防止できる。
【００２６】
刈取前処理部のテーブルとエレベータの結合部にワンタッチ着脱機構を設けることで、車道の整備されていない圃場への輸送時など大型のトラックが入れないところでも本機と刈取ヘッド部を別々に運ぶことができ、小型のトラックでも輸送できる。
【００２７】
脱穀部の縦２番螺旋上部メタル部分に回転センサを設け、縦螺旋シャフトを延長し、そのシャフトに小判型の加工部を設け、その部分で回転を検出するようにする。そして、センサが回転ダウンを検出すると警報を鳴らすように構成すればよい。これによると、２番の縦螺旋の詰まりを検出でき、警報を鳴らすことで、詰まり時のベルト損傷などを防ぐことができる。
【００２８】
なお、１番縦螺旋上部メタル部分に回転センサを設けるものであってもよく、これによれば、１番の縦螺旋の詰まりを検出し、警報を鳴らすことで詰まり時のベルト損傷などを防ぐこともできる。
【００２９】
脱穀部の２番螺旋入力部分又は１番螺旋入力部分に負荷センサを設け、センサが回転ダウンを検出すると警報を鳴らすように構成する。これによると、２番の縦螺旋又は１番縦螺旋の過負荷を検出し、警報を鳴らすことで、詰まり時のベルト損傷などを防ぐことができる。
【００３０】
脱穀部の２番螺旋入力部分又は１番螺旋入力部分に負荷センサを設けた構成において、センサが回転ダウンを検出すると警報を鳴らし、センサはエンジン回転の任意の回転以上で検知するように制御する。これによっても、上記同様の効果を奏することができる。
【００３１】
脱穀部の扱胴メタル部分に回転センサを設けた構成において、扱胴シャフトを延長し、そのシャフトに小判型の加工部を設けてその部分で回転を検出する。そして、センサが回転ダウンを検出すると警報を鳴らし、センサはエンジン回転の任意の回転以上で検知するように制御する。これによると、扱胴の詰まりを検出し、警報を鳴らすことで、詰まり時のベルト損傷などを防ぐことができる。
【００３２】
脱穀部の扱胴入力部分に負荷センサを設け、センサが回転ダウンを検出すると警報を鳴らすように構成する。センサはエンジン回転の任意の回転以上で検知するように制御する。これによっても、扱胴の過負荷を検出でき、警報を鳴らすことで、詰まり時のベルト損傷などを防ぐことができる。
【符号の説明】
【００３３】
２３    揺動選別棚
３０    唐箕
３３    選別風路
Ｄ１    入口側幅
Ｄ２    出口側幅
Ｙ１    唐箕ファンの接線方向
Ｙ２    唐箕ファンの接線方向
【図１】
2017079641.tif 000003
【図２】
2017079641.tif 000004
【図３】
2017079641.tif 000005
【図４】
2017079641.tif 000006
【図５】
2017079641.tif 000007